(57)【要約】【課題】  袋状物の開口部分の近くを丸めた状態で容易に封止できる袋用封止具を提供する。【解決手段】  袋用封止具１３は、凹み体１６と、凹み体１６に係合自在な突起体１５とから構成される。突起体１５は、一対の脚部１９ａ，脚部１９ｂとこれらの先端に接続された係合部２０ａ，係合部２０ｂと、脚部１９ａ，脚部１９ｂの間に掛け渡された平板部２２とから構成される。凹み体１６は、開口３２を構成する一対の球状部３０ａ，球状部３０ｂと、側壁部２５ａ，側壁部２５ｂとを含む。使用時にあっては、脚部１９ａ，脚部１９ｂの間に袋状物をその開口近くで丸めた状態で配置し、この状態で突起体１５の脚部１９ａ，脚部１９ｂを凹み体１６に侵入させて係合することによって実現される。【選択図】      図１
2006347594.tif 000002
【特許請求の範囲】
【請求項１】
凹み体と突起体との間に袋状物の開口部分の近くの部分を設置し、前記凹み体に前記突起体を係合させることによって前記開口部分を封止する袋用封止具であって、
前記凹み体は、
矩形部分と前記矩形部分の対向辺の中央部に接続される一対の半円部分とからなる開口と、
前記矩形部分の他の対向辺を構成する一対の対向壁部と、
前記半円部分の各々を構成し、前記対向壁部の各々に接続される一対の球状部とからなり、
前記突起体は、
前記対向壁部の内方面に沿って摺動自在となるように構成された一対の脚部と、
前記脚部の各々の先端に設けられ、前記脚部が前記対向壁部に接した状態で前記対向壁部の一部に係合し、前記脚部を抜け止め状態とする一対の係合部と、
前記脚部の各々の間に掛け渡すように取り付けられた平板部とからなる、袋用封止具。
【請求項２】
前記対向壁部の各々と前記球状部の各々とは、互いに平行状態で対向する一対の平坦部を介して接続され、
前記平坦部の各々は、前記球状部の前記開口に対して反対側に少なくとも前記係合部の各々に対応する長さの分だけ伸びる、請求項１記載の袋用封止具。
【請求項３】
前記突起体は、前記脚部の各々及び前記平板部がその面に対して直交状態に接続されるほぼ矩形平板状のベース部を更に備え、
前記突起体が前記凹み体に係合した状態において、前記ベース部の前記平板部の形成方向に平行な一辺と、これに対応する前記球状部の一方の開口部分との最大距離が、前記平板部に対する前記球状部の一方の内面の最大投影距離より大きく設定される、請求項２記載の袋用封止具。
【請求項４】
前記突起体が前記凹み体に係合した状態において、前記ベース部の前記平板部の形成方向に平行な他辺と、これに対応する前記球状部の他方の開口部分との最大距離が、前記平板部に対する前記球状部の他方の内面の最大投影距離より大きく設定される、請求項３記載の袋用封止具。
【請求項５】
前記凹み体及び前記突起体は、各々合成樹脂の一体成形により形成される、請求項１から請求項４のいずれかに記載の袋用封止具。
【発明の詳細な説明】
【技術分野】
【０００１】
この発明は袋用封止具に関し、特にビニール袋等の袋状物の開口部分を封止することができる袋用封止具に関するものである。
【背景技術】
【０００２】
図９は特許文献１に示されているクリップの外観形状を示した斜視図である。
【０００３】
図を参照して、このクリップは第１挟持材６１と第２挟持材６２とから構成されている。第１挟持材６１はその下面に嵌入条部６８が設けられ、長手方向の一方端に開口７１が形成され、他方端に締結用肩部６３が形成されている。
【０００４】
一方、第２挟持材６２はその上面に嵌入条部６８と嵌合する嵌着溝６５が形成され、長手方向の一方に軸７０が形成され、他方に掛け止めフック６４が形成されている。第１挟持材６１は開口７１を軸７０に係合することによって軸７０を中心として回動自在に構成されている。又、この係合状態で第１挟持材６１を第２挟持材６２に接する方向に力を加えると、締結用肩部６３が第２挟持材６２の掛け止めフック６４に係合することによってその状態が保持される。
【０００５】
使用時にあっては、ビニール袋等の袋状物４０の開口部分の近くを平坦状態にし、これを第２挟持材６２の上に設置する。そして第１挟持材６１を回転させて嵌入条部６８が袋状物４０を介して第２挟持材６２の嵌着溝６５に嵌合するように力を加え、この状態を締結用肩部６３と掛け止めフック６４との係合によって保持する。
【０００６】
図１０はこの状態を示した概略断面図である。
【０００７】
図を参照して、第１挟持材６１の嵌入条部６８ａ，嵌入条部６８ｂは袋状物４０を介して第２挟持材６２の嵌着溝６５及び突条６６に嵌合状態に押し付けられる。その結果、その間に設置されている袋状物４０が開口部分の近くで封止されることになる。これによって、袋状物４０に収納されている物を外気から遮断したり、袋状物４０の内部に空気等を封入した状態を維持することが可能となる。
【０００８】
【特許文献１】特開２０００‐２２９６４８号公報
【発明の開示】
【発明が解決しようとする課題】
【０００９】
上記のような従来のクリップでは、袋状物の開口部分を平坦にすれば封止することができるが、開口部分を丸めたりした状態でこれを封止することはできない。特に小学生等を対象とした袋に空気を注入した状態の実験等においては、袋状物の開口部分を平坦化することは簡単ではないので使い勝手が良いとは言えない。
【００１０】
この発明は上記のような課題を解決するためになされたもので、袋状物の開口部分の近くを丸めた状態で容易に封止できる袋用封止具を提供することを目的とする。
【課題を解決するための手段】
【００１１】
上記の目的を達成するために、請求項１記載の発明は、凹み体と突起体との間に袋状物の開口部分の近くの部分を設置し、凹み体に突起体を係合させることによって開口部分を封止する袋用封止具であって、凹み体は、矩形部分と矩形部分の対向辺の中央部に接続される一対の半円部分とからなる開口と、矩形部分の他の対向辺を構成する一対の対向壁部と、半円部分の各々を構成し、対向壁部の各々に接続される一対の球状部とからなり、突起体は対向壁部の内方面に沿って摺動自在となるように構成された一対の脚部と、脚部の先端に設けられ、脚部が対向壁部に接した状態で対向壁部の一部に係合し、脚部を抜け止め状態とする一対の係合部と、脚部の各々の間に掛け渡すように取り付けられた平板部とからなるものである。
【００１２】
このように構成すると、脚部の間に設置された袋状物は、球状部の各々の内面側と平板部との間で圧縮される。
【００１３】
請求項２記載の発明は、請求項１記載の発明の構成において、対向壁部の各々と球状部の各々とは、互いに平行状態で対向する一対の平坦部を介して接続され、平坦部の各々は球状部の開口に対して反対側に少なくとも係合部の各々に対応する長さの分だけ伸びるように構成されたものである。
【００１４】
このように構成すると、突起体が凹み体に係合した際、平坦部の間に障害物が存在しない。
【００１５】
請求項３記載の発明は、請求項２記載の発明の構成において、突起体は脚部の各々及び平坦部がその面に対して直交状態に接続されるほぼ矩形平板状のベース部を更に備え、突起体が凹み体に係合した状態において、ベース部の平板部の形成方向に平行な一辺と、これに対応する球状部の一方の開口部分との最大距離が、平板部に対する球状部の一方の内面の最大投影距離より大きく設定されるものである。
【００１６】
このように構成すると、封止された袋状物はベース部の一辺と球状部の一方の開口部分との間で更に圧縮される。
【００１７】
請求項４記載の発明は、請求項３記載の発明の構成において、突起体が凹み体に係合した状態において、ベース部の平板部の形成方向に平行な他辺と、これに対応する球状部の他方の開口部分との最大距離が平板部に対する球状部の他方の内面の最大投影距離より大きく設定されるものである。
【００１８】
このように構成すると、封止された袋状物はベース部の他辺と球状部の他方の開口部分との間で更に圧縮される。
【００１９】
請求項５記載の発明は、請求項１から請求項４のいずれかに記載の発明の構成において、凹み体及び突起体は、各々合成樹脂の一体成形より形成されるものである。
【００２０】
このように構成すると、凹み体及び突起体の係合状態が安定する。
【発明の効果】
【００２１】
以上説明したように、請求項１記載の発明は、脚部の間に設置された袋状物は、球状部の各々の内面側と平板部との間で圧縮されるため、棒状に丸められた袋状物を容易に封止することができる。
【００２２】
請求項２記載の発明は、請求項１記載の発明の効果に加えて、突起体が凹み体に係合した際、平板部の延長上に障害物が存在しないため、設置した袋状物を凹み体に押し込み易くなり使い勝手が良い。
【００２３】
請求項３記載の発明は、請求項２記載の発明の効果に加えて、封止された袋状物はベース部の一辺と球状部の一方の開口部分との間で更に圧縮されるため、封止効果がより高まる。
【００２４】
請求項４記載の発明は、請求項３記載の発明の効果に加えて、封止された袋状物はベース部の他辺と球状部の他方の開口部分との間でも更に圧縮されるため、袋状物は結果的に平板部による圧縮以外に２箇所で更に圧縮されることになり、封止効果が更に高まるものである。
【００２５】
請求項５記載の発明は、請求項１から請求項４のいずれかに記載の発明の効果に加えて、凹み体及び突起体の係合状態が安定するため、使用時の信頼性が向上すると共にコスト的に有利となる。
【発明を実施するための最良の形態】
【００２６】
図１はこの発明の第１の実施の形態による袋用封止具の概略形状を示した斜視図であり、図２は図１で示したＩＩ−ＩＩラインの断面図である。
【００２７】
これらの図を参照して、袋用封止具１３は凹み体１６と、凹み体１６に係合自在の突起体１５とから構成されている。
【００２８】
突起体１５は、合成樹脂の一体成形よりなり、ほぼ矩形シート形状を有し、その両端部が一方向に曲げられた形状を有するベース部１８と、ベース部１８の内面側に接続され、互いに平行に伸びる一対の脚部１９ａ，脚部１９ｂと、脚部１９ａ，脚部１９ｂの先端に接続された一対の係合部２０ａ，係合部２０ｂと、脚部１９ａ，脚部１９ｂのベース部１８側の部分に掛け渡された矩形平板状の平板部２２とから構成されている。
【００２９】
一方、凹み体１６は、合成樹脂の一体成形よりなり、矩形部分と矩形部分の対向辺の中央部に接続される一対の半円部分とからなる開口３２を形成するように形作られている。具体的には、開口３２の矩形部分の他の対向辺を構成する一対の側壁部２５ａ，側壁部２５ｂと、開口３２の半円部分の各々を構成する一対の球状部３０ａ，球状部３０ｂと、側壁部２５ａ，側壁部２５ｂと球状部３０ａ，球状部３０ｂとを接続するために互いに平行状態に配置された一対の平坦部２４ａ，平坦部２４ｂと、平坦部２４ａ，平坦部２４ｂとを開口３２とは反対方向において接続する対向壁部２６とから構成されている。
【００３０】
尚、側壁部２５ａ，側壁部２５ｂと対向壁部２６との間の平坦部２４ａ，平坦部２４ｂとのスペースには、開口２８ａ，開口２８ｂが形成されている。
【００３１】
又、突起体１５の係合部２０ａ，係合部２０ｂは側壁部２５ａ，側壁部２５ｂの内方面に沿って摺動自在に侵入できるように構成されている。そして脚部１９ａ，脚部１９ｂの外方面は、突起体１５が凹み体１６に完全に係合した状態において側壁部２５ａ，側壁部２５ｂの内方面に接した状態となるように構成されている。この状態にあっては、係合部２０ａ，係合部２０ｂは、凹み体１６の開口２８ａ，開口２８ｂから外方に露出し、側壁部２５ａ，側壁部２５ｂの後方部分に接した状態となり、凹み体１６に対する抜け止め効果を発揮する。
【００３２】
図３は図１で示した状態から突起体１５を凹み体１６に対して係合させた状態を示した概略斜視図であり、図４は図３に対して他の方向から見た斜視図であり、図５は図３で示したＶ−Ｖラインの断面図である。
【００３３】
これらの図を参照して、突起体１５は凹み体１６に完全に係合すると、上述のように突起体１５の係合部２０ａ，係合部２０ｂは、凹み体１６の開口２８ａ，開口２８ｂから露出状態となり突起体１５を凹み体１６に対して抜け止め状態とする。そして突起体１５のベース部１８はその両端が側壁部２５ａ，側壁部２５ｂに当接状態となるため、それ以上の突起体１５の凹み体１６に対する進行も制限されている。
【００３４】
この状態にあっては、図５に示されているように平板部２２の前縁部３５は球状部３０ａの内縁部３４に接近することになる。即ちこの距離Ｘは、球状部３０ａの外縁部３７の位置と内縁部３４の位置との投影距離Ｙに比べて極めて小さくなる。
【００３５】
又、ベース部１８の縁部３８と球状部３０ａの開口３２を規定する外縁部３７との距離Ｂは、平板部２２の一方面と球状部３０ａの内面の最大投影距離Ａより小さくなるように設定されている。これらの距離の関係による効果については後述する。
【００３６】
図６は、この発明の第１の実施の形態による袋用封止具の使用状態を示した図である。
【００３７】
図を参照して、使用時にあっては、ビニール袋等の袋状物４０の開口部分４１の近くの部分を丸めたり捩ったりしてこれを突起体１５の脚部１９ａ，脚部１９ｂの間のスペースに通す。この時従来例で示したクリップのように封止部分を平坦状態に折り畳む必要はないため、容易に袋状物４０を突起体１５に対してセットすることができる。そして、この状態で突起体１５を凹み体１６に対して係合するように進行させれば良い。
【００３８】
図７は、図６に示した状態から突起体１５を凹み体１６に完全に係合させた状態を示した斜視図であり、図８は図７で示したＶＩＩＩ−ＶＩＩＩラインの拡大断面図である。
【００３９】
これらの図を参照して、突起体１５を凹み体１６に完全に係合させると、袋状物４０は図８で示したような状態となる。即ち、袋状物４０の第１部分４４はベース部１８の前縁部３５と球状部３０ａの内縁部３４ａの部分と球状部３０ｂの内縁部３４ｂの部分との間で強く圧縮されることになる。この時、凹み体１６にあっては、内縁部３４ａと内縁部３４ｂとの間には何も障害物が形成されていない。従って、袋状物４０の第１部分４４の部分は一部対向壁部２６側に侵入することができるため、突起体１５を凹み体１６に押し込む力を軽減することが可能となる。
【００４０】
袋状物４０の第１部分４４から開口部分４１側の第２部分４５にあっては、球状部３０ａの外縁部３７ａとベース部１８の縁部３８ａの部分で圧縮されることになる。ここで先の図５で示したように、この部分の距離Ｂは球状部３０ａの内方面と平板部２２との距離Ａに対して小さくなるように設定されているため、袋状物４０は第２部分４５の部分においても更に圧縮されることになる。又、袋状物４０の第１部分４４と第２部分４５との間の部分は、球状部３０ａの内面と平板部２２の上面との間で構成される空間一杯に広がることになる。従って、袋状物４０をその軸方向に引き抜く方向に力が加わった場合には、球状部３０ａ及び平板部２２から袋状物４０に対して大きな摩擦力が発生することになり、抜け止め効果も生じることになる。
【００４１】
一方、袋状物４０の第１部分４４から開口部分４１に対する方向とは反対方向の第３部分４６は、球状部３０ｂの外縁部３７ｂとベース部１８の縁部３８ｂとの間で第２部分４５と同様に圧縮されることになる。又、第１部分４４と第２部分４５の間の部分と同様に第１部分４４と第３部分４６の間の部分も、袋状物４０の引き抜き時に球状部３０ｂ及び平板部２２の面から大きな摩擦力を受けることになる。これによって袋状物４０の引き抜きに対して引き抜き阻止効果を更に発揮することになる。
【００４２】
以上のように、この実施の形態による袋用封止具にあっては、袋状物４０の封止が第１部分４４、第２部分４５及び第３部分４６の３点で行われるため、極めて封止効果が高くなる。又、第１部分４４と第２部分４５との間の部分及び第１部分４４と第３部分４６との間の部分とは、引き抜き時に突起体１５及び凹み体１６から大きな摩擦抵抗を受けるため、引き抜き阻止効果も向上する。これによって袋状物４０の封止状態を極めて簡単且つ安定状態に保持することが可能となる。
【００４３】
尚、上記の各実施の形態では、凹み体の開口３２の一部は半円状に形成されているが、厳密な半円でなくても良く、又この半円を構成する球状部３０も厳密な球体の一部と筒状体の一部とを組み合わせたものでなくても良い。これらを総称して半円及び球状部と称するものである。
【００４４】
又、上記の各実施の形態では、突起体の平板部２２の前縁部は直線状に形成されているが、いずれかに凹又は凸となる曲線状であっても良い。
【００４５】
更に、上記の各実施の形態では、凹み体は上下対称に形成されているが、必ずしも対象でなくても良い。
【００４６】
更に、上記の各実施の形態では、凹み体において球状部と側壁部とは平坦部を介して接続されているが、平坦部は必ずしもなくても良い。
【００４７】
更に、上記の各実施の形態では、係合部を特定形状としているが、突起体と凹み体との係合状態を保持できるものであれば他の形状であっても良い。
【００４８】
更に、上記の各実施の形態では、突起体のベース部を特定形状としているが、他の形状であっても同様の効果を奏することは言うまでもない。
【図面の簡単な説明】
【００４９】
【図１】この発明の第１の実施の形態による袋用封止具の係合前の外観形状を示した斜視図である。
【図２】図１で示したＩＩ−ＩＩラインの断面図である。
【図３】図１で示した袋用封止具の係合状態を示した斜視図である。
【図４】図１で示した袋用封止具の係合状態を示した斜視図であって、図３で示したものとは異なった方向から見た図である。
【図５】図３で示したＶ−Ｖラインの断面図である。
【図６】図１で示した袋用封止具の使用状態を示した図であって、突起体と凹み体とが離れた状態を示した斜視図である。
【図７】図６に示した状態から突起体を凹み体に係合した状態を示した斜視図である。
【図８】図７で示したＶＩＩＩ−ＶＩＩＩラインの拡大断面図である。
【図９】従来のクリップの概略構造を示した斜視図である。
【図１０】図９で示したクリップの使用状態の断面図である。
【符号の説明】
【００５０】
１３…袋用封止具
１５…突起体
１６…凹み体
１８…ベース部
１９…脚部
２０…係合部
２２…平板部
２４…平坦部
２５…側壁部
３０…球状部
３２…開口
３４…内縁部
３５…前縁部
３７…外縁部
３８…縁部
４０…袋状物
４１…開口部分
尚、各図中同一符号は同一又は相当部分を示す。
【図１】
2006347594.tif 000003
【図２】
2006347594.tif 000004
【図３】
2006347594.tif 000005
【図４】
2006347594.tif 000006
【図５】
2006347594.tif 000007
【図６】
2006347594.tif 000008
【図７】
2006347594.tif 000009
【図８】
2006347594.tif 000010
【図９】
2006347594.tif 000011
【図１０】
2006347594.tif 000012